(57)【特許請求の範囲】
【請求項１】
張設線材(K)に沿って移動できるように該張設線材(K)を通すための挿通部(201)を有し該挿通部(201)の方向を軸方向として軸周方向にケーブル(F)が巻かれる巻取体(2)を備え、上記挿通部(201)に張設線材(K)を側方から収容できるようにするための切欠部(203,204,210,210)が形成してあり、上記挿通部(201)の方向を軸線方向として巻取体(2)が軸周方向に回転しないように巻取体(2)を張設線材(K)に沿って移動させることで、該巻取体(2)に巻かれたケーブル(F)を張設線材(K)に螺旋状に巻き付けて布設する布設装置本体(1)と、
該布設装置本体(1)に取り付けて使用し、上記巻取体(2)にケーブル(F)を巻くために巻取体(2)を軸周方向に回転させる巻取装置(4)と、
を備えており、
上記布設装置本体(1)は、上記挿通部(201)の方向を軸方向として軸周方向に回転できるように設けてある回転部材(3)を備えており、上記巻取体(2)の側部には回転部材取着部材(24)が設けてあり、該回転部材取着部材(24)の厚み部分の端面には全周にわたって凹状の案内溝(240)が形成してあり、
上記回転部材(3)は、外面上に凸部を形成するようにして周方向に等間隔で設けられたベアリング(300)を有する回転係合部材(30)と、該回転係合部材(30)より外方に向かって延びる対向する一対のアーム部材(31,31)とを備え、上記回転部材取着部材(24)の案内溝(240)にベアリング(300)が案内されながら回転することで巻取体(2)の側部で回転でき、
上記アーム部材(31,31)の先端側には、巻取体(2)に巻かれたケーブル(F)を通す通し部(310)が形成されており、巻取体(2)に対し回転部材(3)が回転したときの通し部(310)の軌跡が巻取体(2)に巻き取られたケーブル(F)よりも外方に位置するようにしてある、
ケーブル布設装置。
【請求項２】
巻取装置(4)は、布設装置本体(1)に取り付ける際に上記巻取体(2)の挿通部(201)に挿通される取着部材(40)を有し、
該取着部材(40)は、所要長さを有する円筒体で形成されていると共に、側方から内部に張設線材(K)を収容するための切欠部(400)を備え、接続可能な電動ドリル(D)の動力を利用することで、張設電線(K)を収容した取着部材(40)を回転の軸のようにして巻取体(2)を軸周方向に回転させることができる、
請求項１記載のケーブル布設装置。
【請求項３】
張設線材(K)に沿って移動できるように該張設線材(K)を通すための挿通部(201)を有し該挿通部(201)の方向を軸方向として軸周方向にケーブル(F)が巻かれる巻取体(2)を備え、上記挿通部(201)に張設線材(K)を側方から収容できるようにするための切欠部(203,204,210,210)が形成してあり、上記挿通部(201)の方向を軸線方向として巻取体(2)が軸周方向に回転しないように巻取体(2)を張設線材(K)に沿って移動させることで、該巻取体(2)に巻かれたケーブル(F)を張設線材(K)に螺旋状に巻き付けて布設する布設装置本体(1)と、
該布設装置本体(1)に取り付けて使用し、上記巻取体(2)にケーブル(F)を巻くために巻取体(2)を軸周方向に回転させる巻取装置(4)と、
を備えており、
上記布設装置本体(1)は、上記挿通部(201)の方向を軸方向として軸周方向に回転できるように設けてある回転部材(3)を備えており、該回転部材(3)は、外方に向かって延びる対向する一対のアーム部材(31,31)とを備え、該アーム部材(31,31)の先端側には巻取体(2)に巻かれたケーブル(F)を通す通し部(310)が形成されており、巻取体(2)に対し回転部材(3)が回転したときの通し部(310)の軌跡が巻取体(2)に巻き取られたケーブル(F)よりも外方に位置するようにしてあり、
上記巻取装置(4)は、布設装置本体(1)に取り付ける際に上記巻取体(2)の挿通部(201)に挿通される取着部材(40)を有し、該取着部材(40)は、所要長さを有する円筒体で形成されていると共に、側方から内部に張設線材(K)を収容するための切欠部(400)を備え、接続可能な電動ドリル(D)の動力を利用することで、張設電線(K)を収容した取着部材(40)を回転の軸のようにして巻取体(2)を軸周方向に回転させることができる、
ケーブル布設装置。
【請求項４】
巻取体(2)の切欠部(210)の外縁部に切欠部(210)を跨ぐように対向させてリング部材(250,250)が設けてあり、各リング部材(250,250)には布設装置本体(1)を引っ張る際に使用する紐体(6)を取り付け可能なクリップ(251)を取り付けることができる、
請求項１ないし３のいずれかに記載のケーブル布設装置。
【請求項５】
巻取装置(4)は、回動させることによって取着部材(40)に収容した張設線材(K)を取着部材(40)の内面との間に挟み込んで動かないように固定できる電線押え部材(47)を備えている、
請求項１ないし４のいずれかに記載のケーブル布設装置。
【発明の詳細な説明】
【０００１】
【発明の属する技術分野】
本発明はケーブル布設装置及びケーブル布設方法に関する。更に詳しくは、ケーブルの巻取体への巻き取り作業が簡単でかつ迅速にでき、しかも、巻き取ったケーブルが布設の際に巻取体から纏まった状態で繰り出されないものに関する。また、装置を大型にしなくても長い距離が布設できるものに関する。
【０００２】
【従来技術】
近年、インターネットの利用者は爆発的に増加しており、通信回線を流れる情報量も増大化の一途を辿っている。こうした現状を踏まえ、更なる情報化社会の到来に対応できるようにするために、通信業界では通信に関するインフラストラクチャーの整備が進められている。その一つとして、例えば、光ファイバケーブルを家庭等にまで引き込む計画がある。
【０００３】
家庭等に引き込む光ファイバケーブルは、通常、末端部分でありケーブル自体が細い。そのため、光ファイバケーブルのみを架空して布設することは強度的に無理がある。従って、このような部分では、例えば特開２０００−３５０３２０号公報に開示されているような装置を使用して、既に架空してある既設電線に螺旋状に巻き付けて布設される方法が採用されている。
【０００４】
上記した光ファイバケーブルの布設装置は、既設電線に取り付けた装置の巻取体に光ファイバケーブルを巻き取り、当該ケーブルの一端を基幹側の他の光ファイバケーブル等に接続して、装置自体を既設電線に沿って移動させて使用される。この装置によれば、移動により巻取体に巻き取られていた光ファイバケーブルが順次繰り出されて、この光ファイバケーブルが既設電線の周囲に螺旋状に巻き付いた状態で布設される。
【０００５】
【発明が解決しようとする課題】
しかし、上記した光ファイバケーブルの布設装置には、次のような課題があった。
(1) 上記した光ファイバケーブルの布設装置は、巻き取られたケーブルが巻取体の片側から繰り出されるようになっている。従って、装置の移動により光ファイバケーブルを抵抗なく繰り出すためには、光ファイバケーブルが巻取体に重ならないように整列させた状態で巻き取られていなければならない。このため光ファイバケーブルの巻き取りには、慎重さが要求され相当に時間がかかる。
【０００６】
(2) 巻取体への光ファイバケーブルの巻き取りは、通常、作業性の悪い高所で行われる。従って、ケーブルの巻き取りにあたっては、安全性の観点からも作業の簡易化が望まれる。
【０００７】
(3) 装置を移動させた際に、巻き取られた光ファイバケーブルが巻取体から順に繰り出されず、纏まった状態で繰り出されることもある。この場合では、纏まって繰り出たケーブルが、既設電線上で絡まってしまう。
【０００８】
(4) 光ファイバケーブルは上記したように巻取体に整列させた状態で巻き取らなければならないので、ケーブルの布設する距離を長くする場合では、巻取体を長尺化する必要があり、結果として装置が大型化してしまう。
【０００９】
（目  的）
本発明の目的は、例えば、光ファイバケーブルの巻取体への巻き取り作業が、簡単でかつ迅速にできるケーブル布設装置及びケーブル布設方法を提供することにある。
また、本発明の他の目的は、巻き取ったケーブルが布設の際に巻取体から纏まった状態で繰り出されないケーブル布設装置及びケーブル布設方法を提供することにある。
更に、本発明の他の目的は、装置を大型にしなくても長い距離が布設できるケーブル布設装置及びケーブル布設方法を提供することにある。
【００１０】
【課題を解決するための手段】
上記目的を達成するために講じた本発明の手段は次のとおりである。
第１の発明にあっては、
張設線材(K)に沿って移動できるように該張設線材(K)を通すための挿通部(201)を有し該挿通部(201)の方向を軸方向として軸周方向にケーブル(F)が巻かれる巻取体(2)を備え、上記挿通部(201)に張設線材(K)を側方から収容できるようにするための切欠部(203,204,210,210)が形成してあり、上記挿通部(201)の方向を軸線方向として巻取体(2)が軸周方向に回転しないように巻取体(2)を張設線材(K)に沿って移動させることで、該巻取体(2)に巻かれたケーブル(F)を張設線材(K)に螺旋状に巻き付けて布設する布設装置本体(1)と、
該布設装置本体(1)に取り付けて使用し、上記巻取体(2)にケーブル(F)を巻くために巻取体(2)を軸周方向に回転させる巻取装置(4)と、
を備えており、
上記巻取体(2)の側部には回転部材取着部材(24)が設けてあり、該回転部材取着部材(24)の厚み部分の端面には全周にわたって凹状の案内溝(240)が形成してあり、
上記布設装置本体(1)は、上記挿通部(201)の方向を軸方向として軸周方向に回転できるように設けてある回転部材(3)を備えており、
該回転部材(3)は、外面上に凸部を形成するようにして周方向に等間隔で設けられたベアリング(300)を有する回転係合部材(30)と、該回転係合部材(30)より外方に向かって延びる一対のアーム部材(31,31)とを備え、上記回転部材取着部材(24)の案内溝(240)にベアリング(300)が案内されながら回転することで巻取体(2)の側部で回転でき、
上記アーム部材(31,31)の先端側には、巻取体(2)に巻かれたケーブル(F)を通す通し部(310)が形成されており、巻取体(2)に対し回転部材(3)が回転したときの通し部(310)の軌跡が巻取体(2)に巻き取られたケーブル(F)よりも外方に位置するようにしてある、
ケーブル布設装置である。
【００１１】
第２の発明にあっては、
巻取装置(4)は、布設装置本体(1)に取り付ける際に上記巻取体(2)の挿通部(201)に挿通される取着部材(40)を有し、
該取着部材(40)は、所要長さを有する円筒体で形成されていると共に、側方から内部に張設線材(K)を収容するための切欠部(400)を備え、接続可能な電動ドリル(D)の動力を利用することで、張設電線(K)を収容した取着部材(40)を回転の軸のようにして巻取体(2)を軸周方向に回転させることができる、
第１の発明に係るケーブル布設装置である。
【００１２】
第３の発明にあっては、
張設線材(K)に沿って移動できるように該張設線材(K)を通すための挿通部(201)を有し該挿通部(201)の方向を軸方向として軸周方向にケーブル(F)が巻かれる巻取体(2)を備え、上記挿通部(201)に張設線材(K)を側方から収容できるようにするための切欠部(203,204,210,210)が形成してあり、上記挿通部(201)の方向を軸線方向として巻取体(2)が軸周方向に回転しないように巻取体(2)を張設線材(K)に沿って移動させることで、該巻取体(2)に巻かれたケーブル(F)を張設線材(K)に螺旋状に巻き付けて布設する布設装置本体(1)と、
該布設装置本体(1)に取り付けて使用し、上記巻取体(2)にケーブル(F)を巻くために巻取体(2)を軸周方向に回転させる巻取装置(4)と、
を備えており、
上記布設装置本体(1)は、上記挿通部(201)の方向を軸方向として軸周方向に回転できるように設けてある回転部材(3)を備えており、該回転部材(3)は、外方に向かって延びる対向する一対のアーム部材(31,31)とを備え、該アーム部材(31,31)の先端側には巻取体(2)に巻かれたケーブル(F)を通す通し部(310)が形成されており、巻取体(2)に対し回転部材(3)が回転したときの通し部(310)の軌跡が巻取体(2)に巻き取られたケーブル(F)よりも外方に位置するようにしてあり、
上記巻取装置(4)は、布設装置本体(1)に取り付ける際に上記巻取体(2)の挿通部(201)に挿通される取着部材(40)を有し、該取着部材(40)は、所要長さを有する円筒体で形成されていると共に、側方から内部に張設線材(K)を収容するための切欠部(400)を備え、接続可能な電動ドリル(D)の動力を利用することで、張設電線(K)を収容した取着部材(40)を回転の軸のようにして巻取体(2)を軸周方向に回転させることができる、
ケーブル布設装置である。
【００１３】
第４の発明にあっては、
巻取体(2)の切欠部(210)の外縁部に切欠部(210)を跨ぐように対向させてリング部材(250,250)が設けてあり、各リング部材(250,250)には布設装置本体(1)を引っ張る際に使用する紐体(6)を取り付け可能なクリップ(251)を取り付けることができる、
第１ないし第３のいずれかの発明に係るケーブル布設装置である。
第５の発明にあっては、
巻取装置(4)は、回動させることによって取着部材(40)に収容した張設線材(K)を取着部材(40)の内面との間に挟み込んで動かないように固定できる電線押え部材(47)を備えている、
第１ないし第４のいずれかの発明に係るケーブル布設装置である。
【００１４】
（作  用）
本発明に係るケーブルの布設装置は、次のように使用される。
まず、巻取体を張設線材に挿通部を通して取り付けて、当該挿通部の方向を軸方向として軸周方向にケーブルを巻き取る。巻き取ったケーブルを回転部材の通し部に通して基幹側の他のケーブル等と接続する。そして、巻取体を本質的に回転させないようにして張設線材に沿って移動させる。
【００１５】
巻取体に巻き取られたケーブルは、他のケーブル等と接続してあるので、当該巻取体の移動により張力が生じ、巻き取ってあった状態から通し部の設けてある方向へ繰り出される。通し部は、回転したときの軌跡が、上記巻取体に巻き取られたケーブルよりも外方に位置するようにしてあるので、ケーブルは一旦巻取体に巻き取られたケーブルよりも外方に繰り出される。このためケーブルは、巻取体に整列して巻き取られていなくても良い。
【００１６】
ケーブルが繰り出されることにより、この繰り出されたケーブルの張力によって通し部を有する回転部材が軸周方向に回転する。このようにしてケーブルは、張設線材の周りに螺旋状に巻き付いた状態で布設される。
【００１７】
【発明の実施の形態】
本発明の実施の形態を図面に基づき更に詳細に説明する。
本発明に係る光ファイバケーブルの布設装置の一実施の形態を図１ないし図７に示す。
図１は光ファイバケーブルが巻き取られた布設装置本体を既設電線に沿って移動させて、光ファイバケーブルを当該既設電線に巻き付けて布設する状態を示す使用状態説明図、
図２は布設装置を既設電線に取り付けて、光ファイバケーブルを巻取体に巻き取っている状態を示す使用状態説明図、
図３は布設装置の正面図、
図４は図３に示す布設装置の背面図、
図５は図３に示す布設装置を分解した状態の左側面図、
図６は図３に示す布設装置を分解した状態の底面図、
図７は布設装置本体から巻き付け装置を取り外した状態を示す左側面図である。
【００１８】
符号Ｈは、図２ないし図６に示すように光ファイバケーブルの布設装置を示している。布設装置Ｈは、布設装置本体１と、光ファイバケーブルを巻き取る巻取装置４を備えている。
【００１９】
布設装置本体１は、巻取体２と、巻取体２の側部に設けてある回転部材３とを備えている。布設装置本体１は、既設電線に取り付けて沿って移動させることで、回転部材３を回転させながら、巻取体２に巻き取ってある光ファイバケーブルを既設電線の周りに螺旋状に巻き付けた状態で布設するためのものである（図１参照）。
【００２０】
布設装置本体１について詳述する。
図５及び図６に示すように巻取体２は、略円筒形状を有する回転軸部２０と、回転軸部２０の両端に設けてある略円環薄板状の径大なフランジ部２１，２１を備えている。
回転軸部２０は、径大な外筒体２００と径小な内筒体２０１を備え、これらの間に５枚のリブ２０２を放射状に設けて形成してある。外筒体２００の外周部は、光ファイバケーブルを巻き取る巻取部である。また、内筒体２０１の内部は、布設装置本体１に既設電線を通すための挿通部である。
【００２１】
外筒体２００と内筒体２０１の一部には、側方から内筒体２０１の内部に既設電線が収容できるようにするための切欠部２０３，２０４が形成してある。フランジ部２１，２１の一部にも、側方から内筒体２０１の内部に既設電線が収容できるようにする切欠部２１０，２１０が形成してある。
【００２２】
各切欠部２１０の外縁部には、この切欠部２１０を跨ぐように対向させてリング部材２５０，２５０が設けてある。リング部材２５０には、両リング部材２５０，２５０を繋ぐクリップ２５１が設けてある。
クリップ２５１には、使用時において紐体（後述）が取り付けられる。なお、クリップ２５１で両リング部材２５０を繋ぐことにより、挿通部に収容した既設電線が巻取体２より外れないようになる。
【００２３】
両フランジ部２１，２１の外面には、フランジ部２１の径よりもやや径小な略円環薄板状の固定板部材２２，２３が設けてある。固定板部材２２，２３には、切欠部２０３，２０４，２１０と対応する切欠部２２０，２３０が形成してある。
【００２４】
固定板部材２２，２３の外周縁部近傍の６箇所には、貫通孔２２１，２３１が設けてある。また、固定板部材２３の貫通孔２３１より内側の位置には、やや径大な収容孔２３２が貫通して６箇所に設けてある。収容孔２３２には、布設装置本体１に巻取装置４が取り付けられたときに、ボルトＢ４（後述）が収容される。
【００２５】
固定板部材２２は、中心開口部を内筒体２０１の挿通部と略対応させ、更に切欠部２２０を切欠部２０３，２０４，２１０に対応させて、６箇所の全ての貫通孔２２１に外側からボルトＢ１を通してフランジ部２１にねじ込んで固定してある。固定板部材２３は、中心開口部を内筒体２０１の挿通部と略対応させ、更に切欠部２３０を切欠部２０３，２０４，２１０に対応させ、図７において両側方に位置している貫通孔２３１を除く、４箇所の貫通孔２３１に外側からボルトＢ１を通してフランジ部２１にねじ込んで固定してある。フランジ部２１，２１にねじ込んだボルトＢ１は、頭部が固定板部材２２，２３の外面から突出している。
【００２６】
固定板部材２３のうちボルトＢ１が取り付けられなかった貫通孔２３１には、所要長さを有する突起２６が、ボルトＢ１の頭部よりも突出させて設けてある。突起２６の先端側には直径方向に貫通したピン穴２６０が設けてある。
【００２７】
固定板部材２２の外面には、固定板部材２２の径よりも径小な略円環状の回転部材取着部材２４が設けてある。回転部材取着部材２４の厚み部分の端面には、全周にわたって凹状の案内溝２４０が形成してある。回転部材取着部材２４には、切欠部２０３，２０４，２１０と対応する切欠部２４１が形成してある。
【００２８】
回転部材取着部材２４は、中心開口部を内筒体２０１の挿通部と略対応させ、更に切欠部２４１を切欠部２０３，２０４，２１０に対応させて、固定板部材２２の外面上に接着剤で固着してある。本実施の形態で回転部材取着部材２４は、接着剤で固着したが、回転部材取着部材２４は、他の固定手段で取り付けることもできる。また、固定板部材と一体にして設けることもできる。
【００２９】
回転部材３は、外径が固定板部材２２の径よりも径小で、内径が回転部材取着部材２４の径よりやや径大な略円環薄板状の回転係合部材３０と、回転係合部材３０より外方に向かって延びる一対のアーム部材３１，３１を備えている。
回転係合部材３０の外面上には、凸部を形成するようにしてベアリング３００が６箇所に周方向に等間隔で設けてある。ベアリング３００はボルトＢ２を中心部に挿通させて、回転係合部材３０の内縁部より外縁側をやや内方に出っ張らせた状態で回転可能に設けてある。回転係合部材３０には、切欠部２０３，２０４，２１０と対応する切欠部３０１が形成してある。
【００３０】
アーム部材３１，３１は、長方形状の板状体で形成してあり、基端側には長さ方向に延びる長穴３１１が幅方向に所要間隔を設けて２箇所に形成してある。また、アーム部材３１の先端側は、巻取体２側に所要の角度で折り曲げてあり、折り曲げられた部分には、貫通した通し部３１０が形成してある。こうして通し部３１０の回転したときの軌跡が、巻取体２に巻き取られた光ファイバケーブルよりも外方の位置になるようにしてある。
アーム部材３１，３１は、長穴３１１にボルトＢ５を通して回転係合部材３０にねじ込んで、回転係合部材３０の二箇所に対向させて設けてある。
【００３１】
回転部材３は、回転係合部材３０のベアリング３００を回転部材取着部材２４の案内溝２４０に回転可能に係合させて、巻取体２の側部で回転できるように取り付けてある。回転部材３は、ベアリング３００が案内溝２４０で案内されながら回転することにより、安定して回転する。
【００３２】
巻取装置４について詳述する。
巻取装置４は、既設電線に取り付けるための取着部材４０を備えている。取着部材４０は、所要長さを有する円筒体で形成してあり、布設装置本体１に取り付け易いように先部側を斜めに切断してやや尖らせてある。また、図６に示すように取着部材４０の周縁部には、側方から内部に既設電線が収容できるようにするための切欠部４００が、長さ方向の全長にわたり形成してある。
【００３３】
取着部材４０の基部の外周部には、所要径を有する略円環状の従動プーリ取着部材４１が固定してある。従動プーリ取着部材４１は、所要の厚みを有しており、その厚み部分の端面には、全周にわたって凹状の案内溝４１０が形成してある。従動プーリ取着部材４１には、切欠部４００と対応する切欠部４１１が形成してある。
【００３４】
従動プーリ取着部材４１は、切欠部４１１を切欠部４００に対応させて、取着部材４０外面上に接着剤で固着してある。本実施の形態で従動プーリ取着部材４１は、接着剤で固着したが、従動プーリ取着部材４１は、他の固定手段で取り付けることもできる。また、取着部材と一体にして設けることもできる。
【００３５】
また、図４ないし図６に示すように巻取装置４は、所要径を有し、外周面に歯を有する歯付きプーリである従動プーリ４２と、固定板部材２３と略同形状を有する連結板部材４３を備えている。従動プーリ４２と連結板部材４３は、取着部材４０に直接取り付けられておらず、取着部材４０の周りに、この取着部材４０が略中心軸となるように回転可能に設けられている。従動プーリ４２と連結板部材４３の取り付けについては後述する。
【００３６】
従動プーリ４２の外面上には、凸部を形成するようにしてベアリング４２１が６箇所に周方向に等間隔で設けてある。ベアリング４２１はボルトＢ３を中心部に挿通させて、従動プーリ４２の内縁部よりやや外縁側をやや内方に出っ張らせた状態で回転可能に設けてある。従動プーリ４２には、切欠部４００と対応する切欠部４２０が形成してある。
【００３７】
図５及び図６に示すように連結板部材４３の外縁部近傍の６箇所には、固定板部材２３の外面から突出したボルトＢ１の頭部と突起２６が収容可能な貫通孔４３１が設けてある。また、貫通孔４３１より内側の位置には、連結板部材４３を従動プーリ４２に取り付けるための取着孔４３２が貫通して６箇所に設けてある。更に、図４において両側に位置している貫通孔４３１のやや上部には、先部に固定ピンを備えた脱離防止部材４３３が設けてある。連結板部材４３には、切欠部４００と対応する切欠部４３０が形成してある。
【００３８】
連結板部材４３は、取着孔４３２に内面側から所要長さを有するボルトＢ４を通し、外面から突出した部分に円管状のスペーサ４９を挿通させて、上記ボルトＢ４を従動プーリ４２の内面にねじ込んで、従動プーリ４２と所要間隔を設けた状態で一体に取り付けてある。従動プーリ４２と連結板部材４３は、切欠部４２０，４３０を切欠部４００に対応させて設けてある。
【００３９】
従動プーリ４２と連結板部材４３は、従動プーリ４２のベアリング４２１を従動プーリ取着部材４１の案内溝４１０に回転可能に係合させて、取着部材４０の外周部で回転できるように取り付けてある。
【００４０】
図４において従動プーリ取着部材４１の外面上の左側には、略長方形状の板状体で形成してある駆動プーリ取着部材４４が設けてある。
駆動プーリ取着部材４４の上部側には、長さ方向に延びる貫通した長穴４４０が形成してある。また、駆動プーリ取着部材４４の下部側には、所要長さを有する軸４４１が、外面側と内面側に突出した状態で貫通して設けてある。
【００４１】
軸４４１の内面側に突出した部分には、歯付きプーリである駆動プーリ４５が、図５及び図６に示すようにスペーサ４４２，４４３を介して従動プーリ４２と同じ平面位置に設けてある。
駆動プーリ取着部材４４は、ハンドルを有するボルト４６を長穴４４０に貫通させて、先端側を従動プーリ取着部材４１にねじ込んで固定してある。
【００４２】
図４において従動プーリ取着部材４１の外面上の右側には、所要長さを有する四角柱状の電線押え部材４７が設けてある。電線押え部材４７の一端には、レバー４７０が側方に延びて設けてある。電線押え部材４７は、略中央部に貫通した貫通孔（図では見えない）が形成してあり、ハンドルを有するボルト４８を前記貫通孔に貫通させて、先端側を従動プーリ取着部材４１にねじ込んで取り付けてある。電線押え部材４７は、ボルト４８を緩めることで貫通孔を中心として回動可能である。
【００４３】
布設装置本体１と巻取装置４は、巻取装置４の取着部材４０を巻取体２の内筒体２０１の内部（挿通部）に収容し、切欠部４００，４１１，４２０，４３０が切欠部２０３，２０４，２１０と同じ位置になるように対応させた状態で、固定板部材２３を固定しているボルトＢ１及び突起２６と、連結板部材４３の貫通孔４３１とを嵌め合わせる。そして、連結板部材４３の外面より突出した突起２６のピン穴２６０に、脱離防止部材４３３の固定ピンを差し込む。こうして巻取装置４と布設装置本体１が外れないように組み合わされる。
【００４４】
なお、本実施の形態で示す布設装置Ｈで光ファイバケーブルＦは、電動ドリルの動力を利用して巻取体２へ巻き取られるので、ここで巻取装置４へ動力を伝えるための構成について簡単に説明する。
【００４５】
図２に示すように符号Ｄは電動ドリルを示しており、符号Ｔはフレキシブルシャフトを備えた動力伝達アタッチメントを示している。動力伝達アタッチメントＴの一端は、電動ドリルＤの回転部と接続してあり、他端は軸４４１の外面側に突出した部分と接続してある。これにより電動ドリルＤの回転動力は、動力伝達アタッチメントＴを介して軸４４１に伝達可能である。
【００４６】
駆動プーリ４５と従動プーリ４２には、歯付きベルト５が巻き掛けられる。歯付きベルト５は、常態で長尺状で、両端側に面ファスナー５０を備えた形態のものを使用している。この歯付きベルト５は、両端側の面ファスナー５０の相互を係合させることで無端状に形成可能である。なお、電動ドリルＤは周知技術のものを使用したので、詳細な説明は省略する。また、電動ドリルＤは、電源コードのない充電式のものが好ましいが限定するものではない。
【００４７】
（作  用）
図１ないし図７を参照して、本実施の形態で示す布設装置Ｈの作用を説明する。
［Ａ．光ファイバケーブルの巻き取り］
まず、布設装置Ｈを既設電線Ｋに取り付けて、光ファイバケーブルＦを巻取体２に巻き取る際の作用を説明する。
【００４８】
布設装置本体１と巻取装置４を組み合わせた状態の布設装置Ｈを、既設電線Ｋ上の基幹側の光ファイバケーブル等と近い箇所に取り付ける。このとき布設装置Ｈは、回転部材３が基幹側のケーブルの方を向くように取り付けられる。
【００４９】
布設装置Ｈは、既設電線Ｋを切欠部２０３，２０４，２１０，４００，４１１，４２０，４３０を通して取着部材４０の内部に収容し、電線押え部材４７を回動させて、この電線押え部材４７と取着部材４０の内面とで収容した既設電線Ｋを挟み込んで動かないように固定することで既設電線Ｋ上に取り付けられる。このとき巻取装置４の切欠部４００は、下方に位置している。
【００５０】
ケーブルドラム等から繰り出された光ファイバケーブルＦの一端を回転軸部２０の巻取部（外周部）に固定手段等を使用して固定する。固定手段としては、例えば粘着テープが使用される。
【００５１】
駆動プーリ４５と従動プーリ４２との間に、長尺状の歯付きベルト５を巻き掛け、両端側の面ファスナー５０を相互に係合させて無端状にして取り付ける。
両リング部材２５０，２５０に、この両リング部材２５０，２５０を連結するようにクリップ２５１を取り付ける。
一端が電動ドリルＤの回転部と接続してある動力伝達アタッチメントＴの他端を軸４４１の外面側に突出した部分と接続する。
【００５２】
上記した光ファイバケーブルＦの固定と、歯付きベルト５の取り付けと、リング部材２５０へのクリップ２５１の取り付けと、動力伝達アタッチメントＴの軸４４１への固定についての順番は、特に限定されない。どの工程から行っても良い。
【００５３】
光ファイバケーブルＦの巻取体２より約２０〜３０ｃｍ手前の部分を手で持ち、光ファイバケーブルＦの巻取体２への巻き取られる位置が誘導できるようにする。こうして光ファイバケーブルＦが巻取体２の所要位置に偏って巻き取られないようにできる。
【００５４】
電動ドリルＤのスイッチを入れる。スイッチを入れることにより回転部が回転し、動力伝達アタッチメントＴを介して軸４４１が回転する。軸４４１が回転することにより固着されている駆動プーリ４５が回転し、歯付きベルト５により動力が伝達されて従動プーリ４２が回転する。
【００５５】
従動プーリ４２は、ベアリング４２１が案内溝４１０で案内されながら回転することにより回転する。従動プーリ４２が回転することにより、一体に設けられた連結板部材４３も共に回転する。
【００５６】
貫通孔４３１にはボルトＢ１及び突起２６が嵌め合わされているので、連結板部材４３が回転することにより固定板部材２３も回転する。
これにより巻取体２が、取着部材４０をいわば回転の軸のようにして軸周方向に回転する。
【００５７】
巻取体２の回転により光ファイバケーブルＦが巻取体２に巻き取られる。光ファイバケーブルＦは、巻取体２に整列させずに適当に巻き取って良い（隙間が形成されていても良い）。理由については後述する。しかし、光ファイバケーブルＦの巻き取りが、巻取部の一部に偏るのを防止する（偏りが生じると所定量の巻き取りができない場合がある）ために、巻取体２へは、巻き取られる前の光ファイバケーブルＦを誘導して、光ファイバケーブルＦが巻取部の全幅にわたって略均等に巻き取られるようにすることが望ましい。
【００５８】
なお、光ファイバケーブルＦの巻き取り時は、取着部材４０が切欠部４００を下方にした状態で固定してあるので、巻取体２が回転しても既設電線Ｋが切欠部２０３，２０４，２１０から外れることはなく、巻取体２は電線Ｋから落下しない。
【００５９】
光ファイバケーブルＦは所定量巻取体２へ巻き取られると切断される。そして、切断した側の光ファイバケーブルＦの端部を、一方のアーム部材３１の通し部３１０に、内側から外側に向かって通して、基幹側の光ファイバケーブル等と接続する。
【００６０】
巻取装置４を布設装置本体１より取り外す。布設装置本体１の取り外しは、大体において取り付けの逆の手順で行われるので、説明は省略する。
巻取装置４を取り外すことにより、既設電線Ｋが内筒体２０１内部（挿通部）に収容される。
【００６１】
布設装置本体１のクリップ２５１には、地上まで延びる長さを有する紐体６が取り付けられる。紐体６は、光ファイバケーブルＦを巻取体２へ巻き取った後で取り付けられる。
【００６２】
［Ｂ．光ファイバケーブルの布設］
次に、光ファイバケーブルＦが巻き取られた布設装置本体１を既設電線Ｋに沿って移動させて、光ファイバケーブルＦを既設電線１に巻き付けて布設する際の作用を説明する。
【００６３】
図１に示すように基幹側の光ファイバケーブル等と近い箇所に取り付けられた布設装置本体１を、紐体６を引っ張って既設電線Ｋに沿って移動させる。布設装置本体１は、内筒体２０１の内部が既設電線Ｋと擦り合いながら、巻取体２が回転しない状態で移動する。これにより光ファイバケーブルＦには張力が働くようになり、光ファイバケーブルＦは巻き取ってあった状態から巻き取りをほどく方向に自動的に繰り出される。
【００６４】
詳しくは、光ファイバケーブルＦは、アーム部材３１の通し部３１０に通してあるので、上記した光ファイバケーブルＦの張力によって、一旦、巻取体２の外方へ、回転軸部２０のいわば接線方向へ繰り出される。回転部材３は、繰り出された光ファイバケーブルＦがアーム部材３１を通ることにより、この繰り出された光ファイバケーブルＦの張力によって、巻取体２の移動に追従するように軸周方向に回転する。このように布設装置本体１が既設電線Ｋに沿って移動することで、光ファイバケーブルＦが既設電線Ｋの周りに螺旋状に巻き付いた状態で布設される。
【００６５】
布設装置本体１によれば、光ファイバケーブルＦがアーム部材３１の通し部３１０に通してあり、巻取体２から繰り出される際に、一旦、巻取体２の外方へ、回転軸部２０のいわば接線方向へ繰り出されるので、光ファイバケーブルＦを巻取体２への巻き取り状態に関係なく繰り出すことができる。
従って、光ファイバケーブルＦは、巻取体２への巻き取りに際して、整列して巻き取られていなくても良く、不規則に重なり合った状態で巻き取られていても良い（隙間が形成されていても良い）。つまり、布設装置Ｈによれば、光ファイバケーブルＦを巻取体２に対して比較的自由に巻き取ることができるので、巻き取り作業が簡単であり、作業も迅速にできる。
【００６６】
また、布設装置本体１では、光ファイバケーブルＦがアーム部材３１の通し部３１０を通って繰り出されるので、光ファイバケーブルＦが巻取体２から纏まった状態で繰り出されることがない。これにより光ファイバケーブルＦは布設作業中に絡まない。
【００６７】
更に、上記したように布設装置本体１では、光ファイバケーブルＦが整列して巻き取られていなくても良く、不規則に重なり合った状態で巻き取られていても良いので、ケーブルの布設する距離を長くする場合（巻き取る量を多くする場合）でも装置が大型化しない。従って、布設装置本体１は、布設距離が短い場合でも、長い場合でも兼用して使用できる。
【００６８】
回転部材３には、アーム部材３１，３１が二カ所に対向するように設けてあるので、回転時には光ファイバケーブルＦが通された側のアーム部材３１と共に、対向する光ファイバケーブルＦが通されていない側のアーム部材３１にも遠心力が作用する。従って、光ファイバケーブルＦが通されていない側のアーム部材３１がバランサーとして機能し、回転部材３は安定して回転できる。
【００６９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能である。
【００７０】
【発明の効果】
本発明は上記構成を備え、次の効果を有する。
（ａ）本発明によれば、巻取体を張設線材に沿って移動させることにより、巻取体に巻き取られたケーブルを回転部材の通し部を通して、巻取体に巻き取られたケーブルよりも外方に繰り出すことができる。従って、ケーブルは巻取体に整列して巻き取られていなくても良く、不規則に重なり合った状態で巻き取られていても良い（隙間が形成されていても良い）。つまり、本発明によれば、ケーブルを巻取体に対して比較的自由に巻き取ることができるので、巻き取り作業が簡単であり、作業も迅速にできる。
【００７１】
（ｂ）本発明によれば、ケーブルが回転部材の通し部を通って繰り出されるので、ケーブルが巻取体から纏まった状態で繰り出されない。これによりケーブルは布設作業中に絡まない。
【００７２】
（ｃ）本発明によれば、ケーブルが巻取体に整列して巻き取られていなくても良く、不規則に重なり合った状態で巻き取られていても良いので、ケーブルの布設する距離を長くする場合（巻き取る量を多くする場合）でも装置が大型化しない。従って、例えば本発明に係る布設装置は、布設距離が短い場合でも、長い場合でも兼用して使用可能である。
【図面の簡単な説明】
【図１】光ファイバケーブルが巻き取られた布設装置本体を既設電線に沿って移動させて、光ファイバケーブルを当該既設電線に巻き付けて布設する状態を示す使用状態説明図。
【図２】布設装置を既設電線に取り付けて、光ファイバケーブルを巻取体に巻き取っている状態を示す使用状態説明図。
【図３】布設装置の正面図。
【図４】図３に示す布設装置の背面図。
【図５】図３に示す布設装置を分解した状態の左側面図。
【図６】図３に示す布設装置を分解した状態の底面図。
【図７】布設装置本体から巻き付け装置を取り外した状態を示す左側面図。
【符号の説明】
Ｈ  布設装置
Ｂ１，Ｂ２，Ｂ３，Ｂ４，Ｂ５  ボルト
Ｄ  電動ドリル
Ｆ  光ファイバケーブル
Ｋ  既設電線
Ｔ  動力伝達アタッチメント
１  布設装置本体
２  巻取体
２０  回転軸部
２００  筒状体
２０１  筒状体
２０２  リブ
２０３  切欠部
２０４  切欠部
２１  フランジ部
２１０  切欠部
２２  固定板部材
２２０  切欠部
２２１  貫通孔
２３  固定板部材
２３１  貫通孔
２３２  収容孔
２４  回転部材取着部材
２４０  案内溝
２４１  切欠部
２５０  リング部材
２５１  クリップ
２６  ピン
２６０  ピン穴
３  回転部材
３０  回転係合部材
３００  ベアリング
３０１  切欠部
３１  アーム部材
３１０  貫通孔
３１１  長穴
４  巻取装置
４０  取着部材
４００  切欠部
４１  従動プーリ取着部材
４１０  案内溝
４１１  切欠部
４２  従動プーリ
４２０  切欠部
４２１  ベアリング
４３  連結板部材
４３０  切欠部
４３１  貫通孔
４３２  取着孔
４３３  脱離防止部材
４４  駆動プーリ取着部材
４４０  長穴
４４１  軸
４４２，４４３  スペーサ
４５  駆動プーリ
４６  ボルト
４７  電線押え部材
４７０  レバー
４８  ボルト
４９  スペーサ
５  歯付きベルト
５０  面ファスナー
６  紐体
【図１】
0004022408.tif 000002
【図２】
0004022408.tif 000003
【図３】
0004022408.tif 000004
【図４】
0004022408.tif 000005
【図５】
0004022408.tif 000006
【図６】
0004022408.tif 000007
【図７】
0004022408.tif 000008